(57)【要約】      （修正有）【課題】遊技機を設けた島に形成され、遊戯者の煙草の煙が左右横方向に流れるのを防止する煙流規制設備を提供する。【解決手段】左右横方向に配置された複数の遊技機Ｍの直下に形成され、遊戯者Ｐ側に吹出口を備える送気通路部１１と、送気通路部１１の直下に設けられ、後部であり、各遊技機Ｍの直下に位置する部分に縦孔部を有し、前部に灰皿が上載されるテーブル１２と、テーブル１２の直下に設けられ、各縦孔部に連通する上端開口部を有する下ダクト１３と、下ダクト１３の内部において、各上端開口部の直下に設けられた送気ファン１４と、を備える。送気ファン１４の回転によって、エアーを吹出口から前方に送り出す。【選択図】図２
2011000366.tif 000002
【特許請求の範囲】
【請求項１】
パチンコ機やスロット機などの遊技機（Ｍ）を備える遊技場において，遊戯者（Ｐ）の煙草の煙が左右横方向に流れるのを防止する設備であって、左右横方向に配置された複数の遊技機の直下に形成され，遊戯者側に吹出口（１１ａ）を備える送気通路部（１１）と、前記送気通路部の直下に設けられ，後部であり，前記各遊技機の直下に位置する部分に縦孔部（１２ａ）を有し，前部に灰皿（Ｔ）が上載されるテーブル（１２）と、前記テーブルの直下に設けられ，前記各縦孔部に連通する上端開口部（１３ａ）を有する下ダクト（１３）と、前記下ダクトの内部において，前記各上端開口部の直下に設けられた送気ファン（１４）と、を備え、前記送気ファンの回転によって，エアーを前記吹出口から前方に送り出す下部煙流規制装置（１０）を有することを特徴とする煙流規制設備。
【請求項２】
パチンコ機やスロット機などの遊技機（Ｍ）を備える遊技場において，遊戯者（Ｐ）の煙草の煙が左右横方向に流れるのを防止する設備であって、左右横方向に配置された複数の遊技機の直上に設けられ，前記各遊技機の前面より前方に突出する前方突出部（２１ａ）の下面に吸気口（２１ｂ）を設けた上ダクト（２１）と、前記上ダクトの前記各吸気口の直上に設けられた吸気ファン（２２）と、を備え、前記吸気ファンの回転によって，前記吸気口から煙草の煙を吸い込む上部煙流規制装置（２０）を有することを特徴とする煙流規制設備。
【請求項３】
パチンコ機やスロット機などの遊技機（Ｍ）を備える遊技場において，遊戯者（Ｐ）の煙草の煙が左右横方向に流れるのを防止すべく，下部煙流規制装置（１０）と上部煙流規制装置（２０）を備える煙流規制設備であって、前記下部煙流規制装置を，左右横方向に配置された複数の遊技機の直下に形成され，遊戯者側に吹出口（１１ａ）を備える送気通路部（１１）と、前記送気通路部の直下に設けられ，後部であり，前記各遊技機の直下に位置する部分に縦孔部（１２ａ）を有し，前部に灰皿（Ｔ）が上載されるテーブル（１２）と、前記テーブルの直下に設けられ，前記各縦孔部に連通する上端開口部（１３ａ）を有する下ダクト（１３）と、前記下ダクトの内部において，前記各上端開口部の直下に設けられた送気ファン（１４）と、設けて構成し、前記上部煙流規制装置を、左右横方向に配置された複数の遊技機の直上に設けられ，前記各遊技機の前面より前方に突出する前方突出部（２１ａ）の下面に吸気口（２１ｂ）を設けた上ダクト（２１）と、前記上ダクトの前記各吸気口の直上に設けられた吸気ファン（２２）と、を設けて構成し、前記送気ファンの回転によって，エアーを前記吹出口（１１ａ）から前方に送り出し，前記吸気ファンの回転によって，前記吸気口から煙草の煙を吸い込むことを特徴とする煙流規制設備。
【請求項４】
下ダクト（１３）に、脱臭、消臭、芳香などのエアー改良機構（３０）を持たせたことを特徴とする請求項１または３に記載の煙流規制設備。
【請求項５】
上ダクト（２１）に、脱臭や消臭などのエアー改良機構（３０）を持たせたことを特徴とする請求項２または３に記載の煙流規制設備。
【発明の詳細な説明】
【技術分野】
【０００１】
本発明は、パチンコ機やスロット機等の多数の遊技機を設けたいわゆる島に形成され、遊戯者の煙草の煙が左右横方向に流れて、隣の遊戯者の迷惑になるといった事態を未然に防止することのできる設備（煙流規制設備）に関するのである。
【背景技術】
【０００２】
パチンコ機などの遊技機を楽しむ人には愛煙家も多いが、その反面、非喫煙者も多く、その中には煙草の煙に嫌悪感を覚える人も多い。
【０００３】
こうした状況下、近年におけるパチンコなどの遊技場は優れた換気設備を整えており、煙草の煙を効果的に場外に排出して、場内の空気を常に清浄に保つ工夫がなされている。
【発明の概要】
【発明が解決しようとする課題】
【０００４】
しかし、このように換気設備が整備された遊技場であっても、パチンコ機等の遊技機を楽しんでいる遊戯者の煙草の煙が左右横方向に流れ、その隣で遊戯している者に迷惑を及ぼしてしまうことが多々ある。その隣の遊戯者が愛煙家であれば大きな問題は発生しないかもしれないが、非喫煙者の場合には煙が気になって遊技に集中できない等の問題が発生してしまう。
【０００５】
また、隣で遊戯している者が愛煙家であるか非喫煙者であるかに関わらず、近くから流れてくる煙草の煙を吸い込んでしまうのは健康上、好ましくない。
【０００６】
また、隣接する遊技機間の仕切壁に設けた吹出口からの空気により隣接する島（パチンコ島）間にエアーカーテンを設置することも考えられるが、エアーカーテンから出た有煙空気は、遊戯者の背後の通路を通る人の顔の高さに吹出すことになり好ましくない。
【０００７】
本発明はこうした問題に鑑み創案されたもので、パチンコ機などの遊技機を設けた島に形成され、遊戯者の煙草の煙が左右横方向に流れるのを防止することのできる煙流規制設備を提供することを課題とする。
【課題を解決するための手段】
【０００８】
図１乃至図５を参照して説明する。請求項１に記載の煙流規制設備１は、パチンコ機やスロット機等の遊技機Ｍを備える遊技場において、遊戯者Ｐの煙草の煙が左右横方向に流れるのを防止する設備である。
【０００９】
この煙流規制設備１は、左右横方向に配置された複数の遊技機Ｍの直下に形成され、遊戯者Ｐ側に吹出口１１ａを備える送気通路部１１と、前記送気通路部１１の直下に設けられ、後部であり、前記各遊技機Ｍの直下に位置する部分に縦孔部１２ａを有し、前部に灰皿Ｔが上載されるテーブル１２と、前記テーブル１２の直下に設けられ、前記各縦孔部１２ａに連通する上端開口部１３ａを有する下ダクト１３と、前記下ダクト１３の内部において、前記各上端開口部１３ａの直下に設けられた送気ファン１４と、を備える。そして、前記送気ファン１４の回転によって、エアーを前記吹出口１１ａから前方（遊戯者Ｐ側）に送り出すものである。
【００１０】
請求項２に記載の煙隆起製設備１は、パチンコ機やスロット機等の遊技機Ｍを備える遊技場において、遊戯者Ｐの煙草の煙が左右横方向に流れるのを防止する設備である。
【００１１】
この煙流規制設備１は、左右横方向に配置された複数の遊技機Ｍの直上に設けられ、前記各遊技機Ｍの前面より前方に突出する前方突出部２１ａの下面に吸気口２１ｂを設けた上ダクト２１と、前記上ダクト２１の前記各吸気口２１ｂの直上に設けられた吸気ファン２２と、を備える。そして、前記吸気ファン２２の回転によって、前記吸気口２１ｂから煙草の煙を吸い込むものである。
【００１２】
請求項３に記載の煙流規制設備１は、パチンコ機やスロット機等の遊技機Ｍを備える遊技場において、遊戯者Ｐの煙草の煙が左右横方向に流れるのを防止すべく、下部煙流規制装置１０と上部煙流規制装置２０を備える設備である。
【００１３】
前記下部煙流規制装置１０は、左右横方向に配置された複数の遊技機Ｍの直下に形成され、遊戯者Ｐ側に吹出口１１ａを備える送気通路部１１と、前記送気通路部１１の直下に設けられ、後部であり、前記各遊技機Ｍの直下に位置する部分に縦孔部１２ａを有し、前部に灰皿Ｔが上載されるテーブル１２と、前記テーブル１２の直下に設けられ、前記各縦孔部１２ａに連通する上端開口部１３ａを有する下ダクト１３と、前記下ダクト１３の内部において、前記各上端開口部１３ａの直下に設けられた送気ファン１４と、で構成される。
【００１４】
また、前記上部煙流規制装置２０は、左右横方向に配置された複数の遊技機Ｍの直上に設けられ、前記各遊技機Ｍの前面より前方に突出する前方突出部２１ａの下面に吸気口２１ｂを設けた上ダクト２１と、前記上ダクト２１の前記各吸気口２１ｂの直上に設けられた吸気ファン２２と、で構成される。
【００１５】
そして、前記送気ファン１４の回転によって、エアーを前記吹出口１１ａから前方（遊戯者Ｐ側）に送り出し、前記吸気ファン２２の回転によって、前記吸気口２１ｂから煙草の煙を吸い込むものである。
【００１６】
請求項４に記載の煙流規制設備１は、請求項１または３に記載の発明において、下ダクト１３に、脱臭、消臭、芳香などのエアー改良機構３０を持たせるものである。なお、ここで言う「エアー改良機構３０」とは、吹出口１１ａから送り出すエアーに、遊戯者Ｐにとって何らかの有利な効果を与えることのできる機構を意味し、例えば、イオン発生装置、滅菌装置、脱臭剤、消臭剤あるいは芳香剤（脱臭剤発生装置、消臭剤発生装置、芳香剤発生装置を含む）を含む。
【００１７】
請求項５に記載の円流規制設備１は、請求項２または３に記載の発明において、上ダクト２１に、脱臭や消臭などのエアー改良機構３０を持たせるものである。この「エアー改良機構３０」は、吸気口２１ｂから吸い込んで排出するエアーに何らかの効果を付加する機構を意味するものであり、例えば、空気清浄機、滅菌装置、脱臭剤あるいは消臭剤（脱臭剤発生装置や消臭剤発生装置を含む）を含む。
【発明の効果】
【００１８】
請求項１に記載の煙流規制設備１は、下ダクト１３に設けた送気ファン１４の回転によって、エアーを吹出口１１ａから前方（遊戯者Ｐ側）に送り出す下部煙流規制装置１０を有するので、遊戯者Ｐの煙草の煙を、当該遊戯者Ｐの後方に流すことができる。従って、当該煙草の煙が左右横方向に流れてしまい、隣の遊戯者に迷惑を及ぼすといった事態を未然に防止することができる。
【００１９】
また、有煙空気は主として、腰掛けている遊戯者の左右の胴部を抜けて通路側に移動するので、遊戯者の背後の通路を通る立った人の顔の高さには有煙濃度の低くなった空気しか流れない。
【００２０】
請求項２に記載の煙流規制設備１は、上ダクト２１に設けた吸気ファン２２の回転によって、吸気口２１ｂから煙草の煙を吸い込む上部煙流規制装置２０を有するので、遊戯者Ｐの煙草の煙は、当該遊戯者の上方に位置する吸気口２１ｂを通過して上ダクト２１に吸収される。
【００２１】
従って、遊戯者Ｐの煙草の煙が左右横方向に流れてしまうのを抑制することができ、これにより、当該煙草の煙が左右横方向に流れてしまい、隣の遊戯者の迷惑なるといった事態を防止することができる。
【００２２】
請求項３に記載の煙流規制設備１は、下ダクト１３に設けた送気ファン１４の回転によって、エアーを吹出口１１ａから前方に送り出す下部煙流規制装置１０と、上ダクト２１に設けた吸気ファン２２の回転によって、煙草の煙を吸気口２１ｂから吸い込む上部煙流規制装置２０を備えるので、煙草の煙が左右横方向に流れてしまうのを防止することができる。
【００２３】
すなわち、下部煙流規制装置１０によって煙草の煙を遊戯者Ｐの後方に流し、その煙を、上部煙流規制装置２０によって吸い込むので、当該煙草の煙が左右横方向に流れてしまい、隣で遊戯している人の迷惑になるといった事態を防止することができる。
【００２４】
請求項４に記載の煙流規制設備１は、請求項１および３に記載の発明と同様の効果を発揮する。また、下ダクト１３に、空気清浄、滅菌、脱臭、消臭、芳香などのエアー改良機構３０を持たせたので、吹出口１１ａから送り出されるエアーを清浄化し、また香り付けすることができる。従って、遊戯者Ｐに清浄で良い香りのエアーを供給することができ、これにより遊戯者Ｐは心地良い環境下で遊技機Ｍを楽しむことができる。なお、滅菌装置を設けた場合には、場内に存在する種々のウイルスを滅菌して、場内を無菌状態とすることが出来るので極めて好ましい。
【００２５】
請求項５に記載の煙流規制設備１は、請求項２および３に記載の発明の効果を発揮する。また、上ダクト２１に、空気清浄機や滅菌装置、脱臭剤あるいは消臭剤などのエアー改良機構３０を持たせたので、上ダクト２１に吸い込んだエアーを効果的に清浄化し、ウイルスを滅菌して排出することができる。
【図面の簡単な説明】
【００２６】
【図１】本発明に係る煙流規制設備の実施形態を示す正面図である。
【図２】図１に示す煙流規制設備の側面図である。
【図３】図１に示す煙流規制設備の下部煙流規制装置を示す正面拡大図である。
【図４】図１に示す煙流規制設備の下部煙流規制装置を示す側面要部拡大断面図である。
【図５】図１に示す煙流規制設備の上部煙流規制装置を示す側面要部拡大断面図である。
【発明を実施するための形態】
【００２７】
本発明に係る煙流規制設備１の実施形態を、図１乃至図５に示す。図中、符号Ｆはエアーの流れを示す。これは、多数の遊技機（パチンコ機）Ｍを備える遊技場において、各遊戯者Ｐの煙草の煙が左右横方向に流れるのを防止するためのもので、下部煙流規制装置１０と上部煙流規制装置２０を備える。なお、下部煙流規制装置１０の下ダクト１３は、複数の脚片１５によって支持される。
【００２８】
そのうち、下部煙流規制装置１０は、送気通路部１１、テーブル１２、下ダクト１３および送気ファン１４を備える。送気通路部１１は、左右横方向に配置された多数の遊技機Ｍの直下に形成され、遊戯者Ｐ側に開口する吹出口１１ａを備える。この送気通路部１１は、遊技機Ｍとテーブル１２との間に、前端部に凹部１７ａを形成した板材１７を配置して形成している。また、吹出口１１ａは、送気通路部１１の前端部にパンチング材１８を配置し、そのパンチング材１８に形成された複数の孔部で構成している。なお、各孔部の外径はパチンコ玉より小さく設定し、パチンコ玉がこの孔部に入り込むのを防止している。
【００２９】
テーブル１２は、その後部が送気通路部１１の直下に位置するように設けられ、各遊技機Ｍの直下に位置する部分に、送気通路部１１に連通する縦孔部１２ａを穿設している。なお、テーブル１２の前部には灰皿Ｔや、パチンコ玉の収納ケースなどが上載される。このテーブル１２は木製の板を金属薄板で被覆して構成されている。
【００３０】
下ダクト１３は、テーブル１２の直下に、その後半部に接する状態で設けられ、上端壁に各縦孔部１２ａに連通する上端開口部１３ａを備える。この下ダクト１３は金属製としている。この下ダクト１３は前面開口部１３ｂを有し、この前面開口部１３ｂは回動自在に設けた蓋部材１６で閉じている。当該蓋部材１６は、送気ファン１４の点検など、必要に応じて開けることができる。送気ファン１４は、下ダクト１３の内部に、各上端開口部１３ａの直下に位置する状態で設けている。
【００３１】
また、本煙流規制設備１の上部煙流規制装置２０は、上ダクト２１および吸気ファン２２を備える。上ダクト２１は、左右横方向に配置された複数の遊技機Ｍの直上に設けられ、各遊技機Ｍの前面より前方に突出する部分である前方突出部２１ａの下面に吸気口２１ｂを設けて構成される。この吸気口２１ｂは、パンチングプレート２４に穿設した複数の孔部で構成している。
【００３２】
また、上ダクト２１には前面開口部２１ｃを設け、この前面開口部２１ｃは開閉蓋２３で解放自在としている。この開閉蓋２３は、吸気ファン２２の点検などの必要時に自在に解放することができる。吸気ファン２２は、上ダクト２１の内部において、各吸気口２１ｂの直上に設けられている。
【００３３】
本実施形態に係る煙流規制設備１は、次のように作用する。まず、下ダクト１３の送気ファン１４および上ダクト２１の吸気ファン２２を作動させる。これにより、下ダクト１３に設けた吸気ファン１４が回転し、下ダクト１３のエアーが上端開口部１３ａおよびテーブル１２の縦孔部１２ａを通過して送気通路部１１に達し、そこから吹出口１１ａを通過して前方に送り出される。
【００３４】
従って、遊戯者Ｐが口にしている煙草の煙、あるいはテーブル１２に上載された灰皿Ｔに置かれた煙草の煙は、このエアーによって、図２の矢印で示すように遊戯者Ｐの後方に送られた後、場内に設けた換気設備等の作用によって上昇する。これにより、当該煙草の煙は左右横方向に流れることがなく、その結果、隣の遊戯者に迷惑を及ぼすことがない。
【００３５】
一方、上ダクト２１に設けられた吸気ファン２２の回転によって、遊戯者Ｐの後方に送られて上昇する煙草の煙は、上ダクト２１に吸気口２１ｂから吸い込まれる。このとき、吸気口２１ｂは、上ダクト２１の前方突出部２１ａ（遊技機Ｍの前面より前方に突出している部分）に設けられているので、上昇する煙草の煙を効果的に吸い込むことができる。
【００３６】
上ダクト２１に吸い込まれた煙草の煙は、上ダクト２１の適宜箇所から清浄化設備等に送られる。
【００３７】
なお、この煙流規制設備１は、その下ダクト１３の内部にエアー改良機構３０を設けることができる（図１参照）。エアー改良機構３０とは、エアーに付加価値を与えるあらゆる手段を言い、例えば、イオン発生装置や空気清浄装置、あるいは脱臭剤（脱臭装置）、消臭剤（消臭装置）、芳香剤（芳香装置）、さらには滅菌装置などを含む。
【００３８】
こうしたエアー改良機構３０を下ダクト１３に設けることによって、清浄なエアーや香りの良いエアーを遊戯者Ｐに提供することができるので、遊戯者Ｐは気持ち良く遊技機Ｍを楽しむことができる。また、イオン発生装置や空気清浄装置を設けることによって、場内のエアーを清浄化することができるので、遊戯者のみでなく従業者にとっても環境衛生上、好ましい。また、滅菌装置を設けた場合は場内の各種ウイルスを滅菌して無菌状態とすることが出来るので極めて好ましい。
【００３９】
また、この煙流規制設備１は、その上ダクト２１の内部に同様にエアー改良機構３０を設けることができる（図１、図５参照）。上ダクト２１に設けるエアー改良機構３０としては、特に、空気清浄装置や滅菌装置が好ましい。空気清浄装置を設けることによって場外に排出するエアーの清浄化を図ることができるので、地球の環境保全に貢献することができる。
【００４０】
なお、上記実施形態に係る煙流規制設備１は、下部煙流規制装置１０と上部煙流規制装置２０とで構成しているが、本発明はこれに限定されるものではなく、下部煙流規制装置１０のみで構成することができるし、また、上部煙流規制装置２０のみで構成することもできる。また、滅菌装置を設けることによって無菌状態のエアーを場外に排出することが出来るので、環境上好ましい。
【００４１】
また、上記実施形態に係る煙流規制設備１はパチンコ機を備える島を対象としているが、本発明はこれに限定されるものではなく、その他の遊技機Ｍ（例えば、スロット機）を備える島を対象とすることができる。
【符号の説明】
【００４２】
１          煙流規制設備
１０        下部煙流規制装置
１１        送気通路部
１１ａ      吹出口
１２        テーブル
１２ａ      縦孔部
１３        下ダクト
１３ａ      上端開口部
１３ｂ      前面開口部
１４        送気ファン
１５        脚片
１６        蓋部材
１７        板材
１７ａ      凹部
１８        パンチング材
２０        上部煙流規制装置
２１        上ダクト
２１ａ      前方突出部
２１ｂ      吸気口
２１ｃ      前面開口部
２２        吸気ファン
２３        開閉蓋
２４        パンチングプレート
３０        エアー改良機構
Ｆ          エアーの流れ
Ｍ          遊技機
Ｐ          遊戯者
Ｔ          灰皿
【図１】
2011000366.tif 000003
【図２】
2011000366.tif 000004
【図３】
2011000366.tif 000005
【図４】
2011000366.tif 000006
【図５】
2011000366.tif 000007